(57)【要約】【課題】トイレ室内を最も有効的に利用でき、しかも給水管の配設工事が容易となり、作業性が向上する水洗便器を提供する。【解決手段】便器本体と、この便器本体に取り付けられた水道管の給水圧の洗浄水を吐水する便器洗浄装置と、前記便器本体の上に載置した局部洗浄装置と、前記便器本体に取り付けて支持した給水分岐部とを備えた水洗便器であって、前記給水分岐部は、前記水道管から給水を受ける給水部と、前記給水部で受けた洗浄水を分岐して前記便器洗浄装置へ給水するための第１給水部と、前記局部洗浄装置へ給水するための第２給水部と、前記便器本体から離間した位置に配設した手洗い用水栓に給水するための第３給水部とを一体的に形成したことを特徴とする。【選択図】  図２
2004316097.tif 000002
【特許請求の範囲】
【請求項１】
便器本体と、この便器本体に取り付けられた水道管の給水圧の洗浄水を吐水する便器洗浄装置と、前記便器本体の上に載置した局部洗浄装置と、前記便器本体に取り付けて支持した給水分岐部とを備えた水洗便器であって、
前記給水分岐部は、前記水道管から給水を受ける給水部と、前記給水部で受けた洗浄水を分岐して前記便器洗浄装置へ給水するための第１給水部と、前記局部洗浄装置へ給水するための第２給水部と、前記便器本体から離間した位置に配設した手洗い用水栓に給水するための第３給水部とを一体的に形成したことを特徴とする水洗便器。
【請求項２】
前記第３給水部と前記手洗い水栓への給水配管とは、オーリングによる軸シール構造で回動可能に連結することを特徴とする請求項１記載の水洗便器。
【請求項３】
前記第３給水部と前記手洗い水栓への給水配管とは、前記給水配管の流路周方向に回動自在に連結することを特徴とする請求項１記載の便器の水洗便器。
【発明の詳細な説明】
【０００１】
【発明の属する技術分野】
本発明は、便器本体とこの便器本体上に載置した局部洗浄装置とを備えた水洗便器に関する。
【０００２】
【従来の技術】
近年、トイレ室内の改修の際、水洗便器と手洗い用水栓と手洗い鉢がユニット化されたものが空間商品として提案されている。この時、給水管の敷設し直しなどの施工の手間を省くために、既設の床下または壁裏にある給水管に接続した止水栓の２次側に複数の給水系統に分岐するヘッダーをキャビネット内に配設して、このヘッダーから水洗便器、手洗い用水栓、局部洗浄装置のそれぞれに給水している。（例えば、特許文献１参照）
【０００３】
【特許文献１】
特開２０００−７３４３６（図１）
【０００４】
【発明が解決しようする課題】
しかし、特許文献１においては、便器本体への給水を別部材の洗浄水タンクから行うため施工現場において便器本体に洗浄水タンクを組み付ける作業が必要で作業効率が悪かった。また、洗浄水タンクをキャビネット内に配設した構成のためキャビネットの厚さ寸法の分だけトイレ空間が狭くなっていた。また、キャビネットを配設しない場合でも洗浄タンクの厚み寸法の分だけ便器本体から突出しトイレ空間が狭くなっていた
【０００５】
そこで、本発明はトイレ室内を最も有効的に利用でき、しかも給水管の配設工事が容易となり、作業性が向上する水洗便器を提供することを目的とする。
【０００６】
【課題を解決するための手段及びその作用・効果】
本発明は、便器本体と、この便器本体に取り付けられた水道管の給水圧の洗浄水を吐水する便器洗浄装置と、前記便器本体の上に載置した局部洗浄装置と、前記便器本体に取り付けて支持した給水分岐部とを備えた水洗便器であって、前記給水分岐部は、前記水道管から給水を受ける給水部と、前記給水部で受けた洗浄水を分岐して前記便器洗浄装置へ給水するための第１給水部と、前記局部洗浄装置へ給水するための第２給水部と、前記便器本体から離間した位置に配設した手洗い用水栓に給水するための第３給水部とを一体的に形成した。
そうすることにより、水洗便器をトイレ室内の壁面に近接して配置できトイレ室内が広くなって有効に利用できる。また、給水分岐栓部を水洗便器と一体で梱包・出荷することができ、狭いトイレ室内で工具を用いて分岐栓部を組み付ける煩雑な作業がなくなり作業性が向上する。また、施工ミスによる漏水等の危険性も少なくなる。
【０００７】
また、本発明の好ましい態様としては、前記第３給水部と前記手洗い水栓への給水配管とは、オーリングによる軸シール構造で回動可能に連結する。
そうすることにより、給水配管との接続部分の回転方向の自由度が向上し、給水管をフレキシブル配管で構成した場合にフレキシブル配管の取り回しが厳しい施工現場において配管の捩れ等がなく接続部分の信頼性が向上する。
【０００８】
また、本発明の好ましい態様としては、前記第３給水部と前記手洗い水栓への給水配管とは、前記給水配管の流路周方向に回動自在に連結する。
そうすることにより、接続部分の軸に対して流路周方向の自由度が向上する。そのため給水管をフレキシブル配管で構成した場合にフレキシブル配管の取り回しが厳しい施工現場において配管の捩れ等がなく接続部分の信頼性が向上する。
【０００９】
【発明の実施の形態】
以下、本発明の実施例を図面に基づいて説明する。
図１は洗浄水タンクを有しない局部洗浄装置を搭載した水洗便器Ａを設置したトイレ室内の上面図で、水洗便器Ａはその後部上面に便器洗浄装置（図しない）を搭載している。また、水洗便器Ａの側方の壁部に手洗い用水栓Ｂを配設している。図２は給水配管路における給水分岐栓部の接続状態を示す斜視構成図であり、図３は、図２のＢ−Ｂ’半断面構成図であり、図４は、図２のＡ−Ａ’半断面構成図である。
【００１０】
図１に示すトイレ室内には、洗浄水タンクを有しないタンクレスの水洗便器のためトイレ室内の後壁面に近接して設置することができる。従来のロータンク式の水洗便器であれば、洗浄水タンクを隠すための外壁、側壁を必要とするとともに、洗浄水タンクを収納する分そのスペースを必要とした。即ち、洗浄水タンクがない水洗便器をトイレ室内に設置することにより、水洗便器の占めるスペースを極力小さくすることができ、トイレ空間を有効に利用することが可能となる。
【００１１】
図２、図３において、トイレ室内の壁面には水道管が埋設等されて壁面から突出した既設の給水配管１に接続されており、この給水配管１の先端には止水栓２が設けられたものとなっており、止水栓２の側方にホース３が接続され、その上方に接続されて給水分岐栓部４が配置されており、この給水分岐栓部４の上方は、便器側へ導く銅管５が袋ナット６によって締結されている。この銅管５の先は、便器洗浄バルブへと繋がっている。給水分岐栓部４の側方には突管７が突設されており、その突管７の上面にも突管７ａが突設され、この突管７ａの上端には外径が拡大した鍔部８が形成されている。この突管７ａに接続される接続部９は本例では金属で形成されており、接続部９の先端の挿入部９ｂの外周にはオーリング１０が嵌め込まれており、また、挿入部９ｂには外側へ突出して鍔部１２が形成されたものとなっている。鍔部１２はフレキシブルホース１３とカシメにより連結されており、その先は、局部洗浄装置へ繋がっている。鍔部８と鍔部１２はクイックファスナ１４で締結している。また、分岐栓部４の側方には止水栓１５が配置してあり、止水栓１５の先端にはゴムパッキン１６が係合している。局部洗浄装置が故障等した場合、止水栓１５をドライバー等で締めることにより局部洗浄装置への給水を停止する。
【００１２】
また、図４は、図２のＡ−Ａ’半断面構成図である。給水分岐栓部４の側面には突部１７が突設されており、この突部１７の先端から外円周下方に向けておねじが形成されている。一方、別部材であるエルボ１８が袋ナット１９と突部１７のおねじとの係合により、連結されている。給水分岐栓部４の突部１７の端面には、溝部２０が形成されている。一方、エルボ１８の分岐栓部４と係合する部分の側面には、オーリング２１が挿入されるオーリング溝部２２が２箇所、軸対称に形成されている。また同時に、エルボ１８には半円形断面を有するストッパー溝部２３が軸対称に形成されており、そのストッパー溝部２３には、ストッパー２４が係合している。
【００１３】
このストッパー２４は、図５のような断面形状を成しており、この断面形状の半円の凸部形状がストッパー溝部２３と係合する形状を成している。また、このストッパー２４は、図５に示すように、円周の一部分がカットしてあり、Ｃ形形状を成している。また、袋ナット１９とエルボ１８、ストッパー２４の形状的な関係は、エルボ１８の外径より袋ナット１９の内径が大きく、袋ナット１９の内径よりストッパー２４の外径が大きいという関係になっている。すなわち、組立の方法としては、エルボ１８に袋ナット１９を通し、その後で、ストッパー２４のＣ形形状の切欠き部分を押し広げ、エルボ１８の軸方向に移動させながらストッパー溝部２３の半円形溝に係合すべく装着させる。
【００１４】
次に、給水分岐栓部４の突部１７の内面２５に添わすようにオーリング２１を挿入し、ストッパー２４の端面が溝部２０の軸方向端面に突き当たるまで挿入する。その後に突部１７のおねじと袋ナット１９をねじ留め連結することにより組立が完了する。
エルボ１８は、周方向には規制がなく、周方向には回動自在な構造となる。また、軸方向に力が加わった場合には、ストッパー２４が袋ナット１９の内面で位置規制されるため、エルボ１８自体の抜け止めの役割となっている。エルボ１８の先は、手洗い水栓に繋がっており、手洗い水栓をトイレブースに設置する場合、配管上の制約条件や、使用者の使い勝手などにより、トイレブースの右側あるいは左側のどちら側に設置されても、この構造を採用することにより、エルボ１８を右あるいは左に振ることが容易となり、位置的自由度が増し、エルボ１８端面に係合するホースの折れ、曲りを抑制することが出来る。また、ホースをエルボ１８と係合する袋ナットに応力がかかることがないので、袋ナットの緩み等も抑制することが出来る。
【００１５】
次に、図６に基づいて別の実施例の給水分岐栓部について説明する。構成は略図４と同様であるが、給水分岐栓部の構造が図４の実施例とは異なる。給水分岐栓部４ａの他方の側面にも突管２６が突設されており、この突管２６の先端には外径が拡大した鍔部２７が形成されている。この突管２６に接続される接続部３２は本例では金属で形成されており、接続部３２の先端の挿入部２９の外周にはオーリング３０が嵌め込まれており、また、挿入部２９には外側へ突出して鍔部２８が形成されたものとなっている。鍔部２８はフレキシブルホース３３とカシメにより連結されており、そのホースの行き先は、手洗い水栓へと繋がることとなる。また、鍔部２８と鍔部２７はクイックファスナ３１で締結している。この構成の場合、オーリングによる軸シール構造であるため、軸周りの自由度は増し、軸円周方向のフレキシブルホースの捻じれ等には、有効な構造である。
【００１６】
また、図７は、上記実施例の水洗便器の側面図である。給水分岐栓部が便器本体に一体的に組み付いている構造となっている。この構造であれば、出荷する際にも、給水分岐栓部が便器本体に一体的に組み付いた状態で出荷されることも可能となり、施工現場においては、手洗い水栓、局部洗浄装置等の各装置に給水するためのホース類を接続するだけであり、大掛かりな配管工事は不要となる。よって、省施工が実現でき、また配管接続時の施工ミス等も防止できるため、接続に関する信頼性も得られることとなる。
【００１７】
また、図８は、水洗便器Ａを梱包材２６で梱包した状態を示す。本構成であれば、給水分岐栓が便器本体に一体的に組付いた状態で、梱包し、出荷することが可能である。従来は便器本体を梱包する外装箱の他、給水分岐栓部や、それに繋がる給水配管等を梱包する内装箱、包装材等が必要であったが、本構成であれば、それらは不要となる。よって、省資源性を実現するとともに、現場での開梱や事後処理に要する手間も省くことができる。
【図面の簡単な説明】
【図１】本発明に係る水洗便器を設置したトイレ室内の上面図。
【図２】給水配管路における給水分岐栓部の接続状態を示す斜視構成図。
【図３】図２のＢ―Ｂ’の半断面構成図。
【図４】図２のＡ―Ａ’の半断面構成図。
【図５】ストッパーの断面図と形状図。
【図６】別の実施例に係る給水分岐栓部の断面図。
【図７】本実施例の水洗便器Ａの側面図。
【図８】本実施例の水洗便器Ａの梱包図。
【符号の説明】
Ａ…水洗便器
Ｂ…手洗い用水栓
１…給水配管
２、１５…止水栓
３…ホース
４、４ａ…給水分岐栓部
５…銅管
６、１９…袋ナット
７、７ａ、２６…突管
８、１２、２７、２８…鍔部
９、３２…接続部
９ｂ、２９…挿入部
１０、２１、３０…オーリング
１３、３１…フレキシブルホース
１４、３１…クイックファスナ
１６…ゴムパッキン
１７…突部
１８…エルボ
２０…溝部
２２…オーリング溝部
２３…ストッパー溝部
２４…ストッパー
２５…金属内面
２６…梱包財
【図１】
2004316097.tif 000003
【図２】
2004316097.tif 000004
【図３】
2004316097.tif 000005
【図４】
2004316097.tif 000006
【図５】
2004316097.tif 000007
【図６】
2004316097.tif 000008
【図７】
2004316097.tif 000009
【図８】
2004316097.tif 000010